【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
少なくとも１つの光電子モジュールを含む装置を製造する方法であって、
基板ウエハと称される第１のウエハと、光学ウエハと称される第２のウエハとを含むウエハスタックを作るステップ（ｃ）を含み、
前記基板ウエハには、数多くの能動光学部品が搭載され、前記光学ウエハは、数多くの受動光学部品を含み、
前記光電子モジュールの各々は、前記能動光学部品のうち少なくとも１つの能動光学部品と前記受動光学部品のうち少なくとも１つの受動光学部品とを含む、方法。
【請求項２】
前記方法は、ピックアンドプレースによって前記能動光学部品を前記基板ウエハに配置するステップ（ｅ）を含む、請求項１に記載の方法。
【請求項３】
前記ウエハスタックは、前記能動光学部品と前記受動光学部品との間に特定の距離を確保するための手段を含み、
前記手段が前記光学ウエハに含まれる場合、前記方法は、
前記光学ウエハを提供するステップ（ｆ）を含み、前記光学ウエハは、前記能動光学部品と前記受動光学部品との間に前記特定の距離を確保するための縦突起を前記手段として含み、
前記能動光学部品を前記ウエハスタックに取付けるステップ（ｈ）を含み、前記ステップ（ｈ）は、前記ステップ（ｆ）が実行される前に実行されず、
前記手段が前記光学ウエハに含まれていない場合、前記方法は、
前記光学ウエハを提供するステップ（ｇ１）と、
前記能動光学部品と前記受動光学部品との間に前記特定の距離を確保するための少なくとも１つのスペーサウエハを前記手段として提供するステップ（ｇ２）と、
前記能動光学部品を前記ウエハスタックに取付けるステップ（ｈ′）とを含み、
前記ステップ（ｈ′）は、前記ステップ（ｇ１）と前記ステップ（ｇ２）とが実行される前に実行されない、請求項１または２に記載の方法。
【請求項４】
前記能動光学部品は、発光素子であり、
前記光電子モジュールの各々は、前記発光素子のうちちょうど１つを含む、請求項１から３のいずれか１項に記載の方法。
【請求項５】
前記光学ウエハは、少なくとも特定の波長範囲に対して少なくとも実質的に不透明であって、遮光部と称される少なくとも１つの部分と、少なくとも前記特定の波長範囲に対して少なくとも実質的に透明であって、透明部と称される少なくとも１つの他の部分とを含む、請求項１から４のいずれか１項に記載の方法。
【請求項６】
前記基板ウエハは、少なくとも特定の波長範囲に対して実質的に全体が透明であるか、または少なくとも特定の波長範囲に対して透明である１つ以上の部分を含む、請求項１から５のいずれか１項に記載の方法。
【請求項７】
前記方法は、前記能動光学部品の各々と前記基板ウエハとの間に電気接続を構築するステップ（ｊ）を含む、請求項１から６のいずれか１項に記載の方法。
【請求項８】
前記基板ウエハは、印刷回路板または印刷回路板組立体である、請求項１から７のいずれか１項に記載の方法。
【請求項９】
前記ウエハスタックは、前記能動光学部品と前記受動光学部品との間に特定の距離を確保するための手段を含み、
前記手段は、前記光学ウエハまたは前記基板ウエハに含まれ、または前記光学ウエハおよび前記基板ウエハから独立してあり、
前記手段は、少なくとも部分的に、少なくとも特定の波長範囲に対して少なくとも実質的に不透明である材料から実質的に形成されている、請求項１から８のいずれか１項に記載の方法。
【請求項１０】
前記能動光学部品は、ベアチップとして提供される、請求項１から９のいずれか１項に記載の方法。
【請求項１１】
前記方法は、前記ウエハスタックを数多くの前記光電子モジュールに分割するステップ（ｄ）を含み、前記各光電子モジュールは、前記受動光学部品のうち少なくとも１つの受動光学部品と、前記受動光学部品と縦方向で光学的に整列されている前記能動光学部品のうち少なくとも１つの能動光学部品とを含む、請求項１から１０のいずれか１項に記載の方法。
【請求項１２】
複製を用いて前記光学ウエハの少なくとも一部を製造するステップ（ｋ）を含む、請求項１から１１のいずれか１項に記載の方法。
【請求項１３】
複製を用いて前記受動光学部品を製造するステップ（ｌ）を含む、請求項１から１２のいずれか１項に記載の方法。
【請求項１４】
前記受動光学部品の各々は、前記能動光学部品のうち少なくとも１つの能動光学部品と関連付けられる、請求項１から１３のいずれか１項に記載の方法。
【請求項１５】
光電子モジュールであって、
基板部材と、
光学部材と、
前記基板部材に搭載されている少なくとも１つの能動光学部品と、
前記光学部材に含まれている少なくとも１つの受動光学部品とを含み、
前記光学部材は、前記基板部材に直接または間接的に固定されている、光電子モジュール。
【請求項１６】
前記光電子モジュールの縦方向のシルエットの外側境界と、前記光学ウエハの縦方向のシルエットの外側境界と、前記基板ウエハの縦方向のシルエットの外側境界とは、それぞれ実質的に長方形の形状を有する、請求項１５に記載のモジュール。
【請求項１７】
前記少なくとも１つの能動光学部品は、ちょうど１つの発光素子である、請求項１５または１６に記載のモジュール。
【請求項１８】
前記光学部材は、少なくとも特定の波長範囲に対して少なくとも実質的に不透明であって、遮光部と称される少なくとも１つの部分と、少なくとも前記特定の波長範囲に対して少なくとも実質的に透明であって、透明部と称される少なくとも１つの他の部分とを含む、請求項１５から１７のいずれか１項に記載のモジュール。
【請求項１９】
前記基板部材は、少なくとも特定の波長範囲に対して実質的に全体が透明であり、または少なくとも特定の波長範囲に対して透明である１つ以上の部分を含む、請求項１５から１８のいずれか１項に記載のモジュール。
【請求項２０】
前記モジュールは、前記少なくても１つの能動光学部品と前記基板部材との間に少なくとも１つの電気接続を含む、請求項１５から１９のいずれか１項に記載のモジュール。
【請求項２１】
前記基板部材は、印刷回路板または印刷回路板組立体である、請求項１５から２０のいずれか１項に記載のモジュール。
【請求項２２】
前記モジュールは、前記少なくとも１つの能動光学部品と前記少なくとも１つの受動光学部品との間に特定の距離を確保するための手段を含み、
前記手段は、前記光学部材または前記基板部材に含まれ、または前記光学部材および前記基板部材から独立してあり、
前記手段は、少なくとも部分的に、少なくとも特定の波長範囲に対して少なくとも実質的に不透明である材料から実質的に形成されている、請求項１５から２１のいずれか１項に記載のモジュール。
【請求項２３】
前記少なくとも１つの能動光学部品は、少なくとも１つのベアチップである、請求項１５から２２のいずれか１項に記載のモジュール。
【請求項２４】
前記基板部材は、前記能動光学部品から前記基板部材を横断する少なくとも１つの電気接続を提供する、請求項１５から２３のいずれか１項に記載のモジュール。
【請求項２５】
前記基板部材の横方向の寸法と、前記光学部材の横方向の寸法とは、実質的に同一である、請求項１５から２４のいずれか１項に記載のモジュール。
【請求項２６】
前記光学部材は、前記基板部材とほぼ平行に整列されている、請求項１５から２５のいずれか１項に記載のモジュール。
【請求項２７】
前記基板部材と前記光学部材とは、少なくとも１つの穴を含み得る、概ねブロックまたは板状の形状を有する、請求項１５から２６のいずれか１項に記載のモジュール。
【請求項２８】
請求項１５から２７のいずれか１項に記載の光電子モジュールを数多く含む電化製品であって、
前記電化製品は、基板ウエハと称される第１のウエハと、光学ウエハと称される第２のウエハとを含み、
前記基板ウエハは、数多くの基板部材を含み、
前記光学ウエハは、数多くの光学部材を含む、電化製品。
【請求項２９】
印刷回路板と、前記印刷回路板に搭載され、請求項１５から２８のいずれか１項に記載の光電子モジュールとを含む電子装置。
【請求項３０】
前記電子装置は、携帯通信装置、または写真装置である、請求項２９に記載の電子装置。
【手続補正２】
【補正対象書類名】明細書
【補正対象項目名】００９８
【補正方法】変更
【補正の内容】
【００９８】
したがって、本発明の第６の局面は、以下の方法を提供することができる：
本発明の一般的な局面に係る方法であって、ウエハスタックは、能動光学部品と受動光学
部品との間特定の距離を確保するための手段を含み、
前述の手段が光学ウエハに含まれる場合、この方法は、
光学ウエハを提供するステップ（ｆ）を含み、光学ウエハは、能動光学部品と受動光学部品との間に特定の距離を確保するための縦突起を前述の手段として備え、
能動光学部品をウエハスタックに取付けるステップ（ｈ）を含み、ステップ（ｈ）は、前記ステップ（ｆ）が実行される前に実行されず、
前述の手段が光学ウエハに含まれない場合、この方法は、
光学ウエハを提供するステップ（ｇ１）と、
能動光学部品と受動光学部品との間に特定の距離を確保するための少なくとも１つのスペーサウエハを前述の手段として提供するステップ（ｇ２）と、
能動光学部品をウエハスタックに取付けるステップ（ｈ′）とを含み、
ステップ（ｈ′）は、ステップ（ｇ１）とステップ（ｇ２）とが実行される前に実行されない。
【手続補正３】
【補正対象書類名】明細書
【補正対象項目名】０１０９
【補正方法】変更
【補正の内容】
【０１０９】
典型的には、スペーサ部材Ｓは、ポリマー材料、特に硬化された硬化性ポリマー材料、より具体的にエポキシ樹脂などの熱硬化された熱硬化性ポリマー材料から形成される。
【手続補正４】
【補正対象書類名】明細書
【補正対象項目名】０１２１
【補正方法】変更
【補正の内容】
【０１２１】
基板ウエハＰＷは、標準的なＰＣＢ材料から作られ、一方の面に数多くの能動光学部品Ｅが搭載され、他方の面に半田ボール７が設けられているＰＣＢとして具体化されることができる。発光部材Ｅは、エレクトロニクス産業においてよく知られているピックアンドプレース機を用いてピックアンドプレースによって、基板ウエハ上に配置することができる。
【手続補正５】
【補正対象書類名】明細書
【補正対象項目名】０１６０
【補正方法】変更
【補正の内容】
【０１６０】
図１７において、２つのスペーサ部材Ｓ、Ｓ’を設けることができることは示され、スペーサ部材Ｓは、基板部材Ｐ（それゆえに能動光学部品Ｅ）と光学部材Ｏとの間の所望の縦距離を確保する。スペーサ部材Ｓは、図１６に関連して説明したように被覆することができ、および／または図１６に関連して説明した形状にすることができる。他方のスペーサ部材Ｓ’は、２つの基板ウエハＰ、Ｐ’の間に配置されている。これにより、能動光学部品Ｅと基板部材Ｐとの間の電気接続に作用する機械的応力（熱機械的応力を含む）を吸収することによって、モジュール１の機械的安定性を増大し、特にモジュールの寿命を増加することにつながる。（少なくとも）２つの基板（Ｐ，Ｐ’）を有する実施形態において、一方の基板ウエハ（図１７においてＰ）に能動光学部品Ｅを（配置して）固定された後に他方の基板ウエハ（図１７においてＰ’）に対する能動光学部品Ｅの電気接続を作成する場合、（横方向）の整列精度の増加につながる。